Podtech/llm-jp-corpus-v4-ja_patent huggingface dataset:
(57)【要約】【課題】  室内で育てる植木に灌水するときに、鉢底から鉢受け皿に流れ出る余分な水が鉢受け皿に滞り植木が根腐れを起こしたり時間が経過し不潔な状態になることを防ぎ、室内でも安心してたっぷり灌水することが出来る、室内植木の鉢の受け皿を提供する。【解決手段】中央部に吸水パット収容用の楕円状の凹部を設けた植木鉢の受け皿の上部に、下方に貫通した中心孔と中心孔に向かって傾斜した溝、切り欠き部及び側壁を有する天板を着脱自在な状態で載せ、灌水時鉢底から流れ出た水は天板から受け皿の吸水パッドに流れ込み吸水され、吸水したパッドは片手で簡単に交換することができることを特徴とする室内植木の鉢の受け皿。【選択図】図１
2010110306.tif 000002
【特許請求の範囲】
【請求項１】
中央部に吸水パッド収容用の楕円状の凹部を設けた植木鉢の受け皿の上面に、下方に貫通した中心孔と中心孔に向かって傾斜した溝、切り欠き部及び側壁を有する天板を着脱自在な状態で載せ、灌水時鉢底から流れ出た水は天板から鉢の受け皿の吸水パッドに流れ込み吸水され、吸水したパッドは片手で簡単に交換できることを特徴とする室内植木の鉢の受け皿。
【発明の詳細な説明】
【技術分野】
【０００１】  本発明は、鉢植えの室内植木に灌水するとき鉢底から流れ出た水が受け皿に滞ったままの状態になることを防止すること、流れ出た水を吸水するパッドの交換を簡便にすることを特徴とする室内植木の鉢の受け皿に関するものである。
【背景技術】
【０００２】  従来、室内植木に灌水するとき鉢底から流れ出る余分な水は鉢の受け皿に滞りっぱなしになり根腐れの原因になった。そのため鉢底から流れ出ない程度の少量の水を毎日与える灌水、植木を庭やベランダに運んでする灌水が多く行われていた。
また、水受け具を使用して室内で灌水する方法も知られている（実用新案文献１）。
【実用新案文献１】
実用新案第３０２６９７０号
【発明の開示】
【発明が解決しようとする課題】
【０００３】  そのために、次のような問題点があった。
（イ）少量の水を毎日与える灌水では土中に溜まった有害なガスを鉢底から流し出すことができないため土が傷み、植木に必要な新鮮な養分が欠乏し植木の健康が阻害された。
（ロ）庭やベランダに運んで灌水する方法は、数が多いと面倒だったり、大きな植木は重いため腰への負担が大きかった。
（ハ）水受け具の使用は利点もあるが、やはり植木の移動は伴うため面倒だった。
本発明は、以上の問題点を解決しようとするものである。
【問題を解決するための手段】
【０００４】  中央部に吸水パッド収容用の楕円状の凹部を設けた植木鉢の受け皿の上面に、下方に貫通した中心孔と中心孔に向かって傾斜した溝、切り欠き部及び側壁を有する天板を着脱自在な状態で載せ植木鉢を置く。灌水時鉢底から天板に流れ出た水は鉢の受け皿の吸水パッドに流れ込み吸水される。吸水パッドの交換用出し入れ口を設け、吸水パッドには引き出し弁を設けて交換を簡便にする。以上を特徴とする室内植木の鉢の受け皿。
【発明の効果】
【０００５】  本発明は、鉢底から流れ出た水が受け皿に滞らないため、根腐れが防止できる。
室内で植木に鉢底から流れ出るくらいたっぷり灌水できるため鉢の土中に溜まった有毒なガスを流し出すことができ植木に新鮮な養分が十分に供給できる。天板に設けた切り欠き部を利用した吸水パッド出し入れ口、パッドに設けた引き出し弁により片手で簡単に吸水パッドの交換ができるため、灌水のたびに植木を移動する面倒も無くなる。
【発明を実施するための最良の形態】
【０００６】  以下、本発明の実施の形態について説明する。
（イ）鉢の受け皿（１）の中央部に片端が受け皿の内側側面（１０）に接する楕円状の凹部（４）を設ける。
（ロ）受け皿の凹部に収容する吸水パッド（２）は吸水収容能力の高い材質を用い、先端に引き出し弁（９）を有する。
（ハ）天板（３）には下方に貫通した中心孔（７）、その中心孔に向け傾斜した溝（５）切り欠き部（６）及び側壁（８）を設ける。
本発明は、以上のような構成で、これを使用するときは、鉢の受け皿（１）の凹部（４）に吸水パッド（２）を収容し、上面に天板（３）を着脱自在に載せ植木を置く。
天板の切り欠き部（６）と、受け皿の凹部（４）に収容した吸水パッドの引き出し弁（９）が上下同位置になるように設置し吸水パッドの出し入れ口を構成する。
天板に設けた側壁（８）は天板の設置の安定を保持する。
【図面の簡単な説明】
【０００７】
【図１】本発明の平面図
【図２】本発明のＡ−Ａ断面図
【図３】本発明の使用状態を示す斜視図
【図４】本発明の分解斜視図
【符号の説明】
【０００８】１    鉢の受け皿
２    吸水パッド
３    天板
４    凹部
５    溝
６    切り欠き部
７    中心孔
８    天板側壁
９    引き出し弁
１０  受け皿の内側側面
【図１】
2010110306.tif 000003
【図２】
2010110306.tif 000004
【図３】
2010110306.tif 000005
【図４】
2010110306.tif 000006
(57)【要約】【課題】釣り竿に、リール、釣糸、ルアー等の仕掛けを付けた状態のままで収納することができ、次回に釣りを行う際に最セットする作業性を大幅に向上させることが出来る釣竿連結具を提供する。【解決手段】所定の長さの蛇腹部の一端に筒状の連結部を設け、他端に凸状の連結部を設けたことを特徴とする釣竿連結具。【選択図】図１
2010110310.tif 000002
【特許請求の範囲】
【請求項１】
所定の長さの蛇腹部の一端に筒状の連結部を設け、他端に凸状の連結部を設けたことを特徴とする釣竿連結具。
【発明の詳細な説明】
【技術分野】
【０００１】  本発明は、魚釣りに用いる釣竿連結具に関するもので、穂先部と胴部からなる２ピースの継ぎ竿に関するものである。
【背景技術】
【０００２】  従来、継ぎ竿は釣を終えた後に、釣糸やリールやルアーなどの仕掛けを外し、竿体を分解して収納していた。
【発明の開示】
【発明が解決しようとする課題】
【０００３】  リールからの釣糸をガイドに挿通させルアーに連結させているようなリール竿においては、ガイドに釣糸を通しルアーを付けたまま、継竿の連結部位を外して収納しようとすると、リールから放出されている釣糸の長さに欠損が生じ、竿に釣り糸やルアーが絡みつき上手く収納できなかった。さらに、次回釣りをおこなう際に、最セットするのが煩雑であった。
本発明は、これらの問題点を解決するためになされたものである。
【課題を解決するための手段】
【０００４】  上記問題を解決するため本発明は、所定の長さの蛇腹部の一端に筒状の連結部を設け、他端に凸状の連結部を設けたものである。
【発明の効果】
【０００５】  釣竿に、釣糸やリールやルアーなどの仕掛けを取り付けたままの状態で、竿の連結部位を外して収納することができる。また、次回釣りをおこなう際に仕掛けを再セットする煩わしさがない。
【発明を実施するための最良の形態】
【０００６】以下、本発明の実施の形態を説明する。
所定の長さの蛇腹部（２）の一端に筒状の連結部（１）を設け、他端に凸状（３）の連結部を設ける。
本発明は以上のような構造である。
本発明である釣竿連結具（７）を使用するときは、リール（１１）、釣糸（１０）、ルアー（９）等の仕掛けを付けた状態のままで、ルアー（９）のフックを竿胴部（１２）のガイド（８）に引っ掛けておき、竿穂先（１３）と竿胴部（１２）の結合部を外し、竿穂先（１３）の筒状である竿穂先連結部（５）に本発明の凸状である連結部（３）と結合させ、さらに、竿胴部（１２）の凸状である竿胴部連結部（６）に本発明の筒状である連結部（１）と結合させます。リール（１１）からルアー（９）まで放出されている糸ふけをリール（１１）で巻いて取ることにより、竿穂先（１３）が竿胴部（１２）に重なるように収納されていきます。最後にリール（１１）の回転をロックすることにより固定され、仕掛けを付けた状態のままで竿を収納することができます。さらに次回釣を再開する場合は、リール（１１）の回転ロックを外し、巻き取っていた釣糸（１０）をゆるめ、本発明である釣竿連結具（７）を外し、竿穂先（１３）と竿胴部（１２）の連結部を再び結合させることにより、最セットが簡単にでき、改めて仕掛けを取り付ける煩雑さを解消する。
【図面の簡単な説明】
【０００７】
【図１】本発明の斜視図
【図２】本発明の可動状態を示す斜視図
【図３】本発明の竿との連結状態を示す斜視図
【図４】本発明の実施例を示す側面図
【図５】本発明の使用状態を示す側面図
【符号の説明】
【０００８】    （１）連結部（筒状）
（２）蛇腹部
（３）連結部（凸状）
（４）ストッパ
（５）竿穂先連結部（筒状）
（６）竿胴部連結部（凸状）
（７）釣竿連結具
（８）ガイド
（９）ルアー
（１０）釣糸
（１１）リール
（１２）竿胴部
（１３）竿穂先
【図１】
2010110310.tif 000003
【図２】
2010110310.tif 000004
【図３】
2010110310.tif 000005
【図４】
2010110310.tif 000006
【図５】
2010110310.tif 000007
(57)【要約】【目的】トイレットペーパーを巻き取り切断後、次のペーパーを片手で簡単に引き出し取り出すことができるトイレットペーパーホルダーの作成。【課題】トイレットペーパーをいかにつかみやすく簡単に取り出すことができるかということを課題とした。【解決手段】トイレットペーパーホルダーのふたの部分に切り込みを入れ、切り込み部分からトイレットペーパーを押し上げるためにふたとトイレットペーパーの間に突起のついた押上げ部品を取りつけることにより解決した。  【選択図】    図１
2010110341.tif 000002
【特許請求の範囲】
【請求項１】
トイレットペーパーを切り取るときに次のペーパーが取りやすくする事ができるトイレットペーパーホルダー
【請求項２】
トイレットペーパーを切り取るときに次のペーパーが取りやすくする事ができるトイレットペーパーホルダーにおいてカッターを兼ねたふたに切込みを入れそのふたとトイレットペーパーの間に突起部品を取り付けふたと突起部品でペーパーを挟み込むことにより切り込み部分からペーパーを取りやすくしたトイレットペーパーホルダー
【発明の詳細な説明】
【技術分野】
【０００１】
本発明はトイレットペーパーを巻き取りカッターを兼ねたふたで切り取る時に切断後のペーパーがふたの下に入り込み次のペーパーを取り出す場合に取りにくかった。それを解消する為トイレットペーパーホルダーのふたに切込みを入れふたの下に突起のついた押し上げ部品を取り付けた。  
【背景技術】
【０００２】
従来のトイレットペーパーホルダーはカッターを兼ねたふた部分でペーパーを切断しそのペーパーの切断部分はふたの下に入り込んでいた。
【０００３】
そのため次ぎにペーパーを取り出す場合、ふたを開けたりペーパーを回したりして取らなければならないという欠点があった。
【０００４】
そのためローラーやカバーなど複雑な部品を取り付けたり切断面の形状を変えようとしたりしていたが、効果が少なくコストが高くなったりセットするのが面倒なため実用性に乏しかった。
【０００５】
そのため実用性に富み、簡単に次のペーパーが取り出せることが課題だった。
【特許文献１】特許公開  ２００６−１４１９２１
【特許文献２】特許公開  ２００７−３０１３１３
【特許文献３】特許公開  ２００８−６７８０５
【発明の開示】
【発明が解決しようとする課題】
【０００６】
解決しようとする課題はトイレットペーパーホルダーのふた１の部分に切り込み４を入れトイレットペーパー６とふた１の間に突起３のついた押し上げ部品２を取り付け、切り込み４部分から押し上げ部品２の突起３により押し上げられたトイレットペーパー５をつまみあげることにより簡単に次のペーパーが取り出せることを課題とした。
【課題を解決するための手段】
【０００７】
本発明が、上記課題を解決するために採用した手段は次のとおりである。
【０００８】
本発明は、トイレットペーパーを切断する際、一定以上のスピードで切断するとカッターを兼ねたふたに切込みを入れても、その部分を一定方向にトイレットペーパーが破れるという特性を利用した。
【０００９】
すなわち本発明はトイレットペーパーホルダーのふた１の部分に切り込み４を入れ、切断後のトイレットペーパー６の先端部分５を、切り込み部分４からふた１の外側に盛り上げるために、トイレットペーパー６とふた１の間に押し上げ部品３を取り付けた。
【００１０】
ふた１と押し上げ部品２の間にトイレットペーパー６の先端部分５をとおして使用し切断した際切り込み部分４から押し上げ部品２の突起３により、ペーパーを押し上げた。
【００１１】
押し上げられたペーパーをつまみあげることにより簡単に取り出すことに成功した。
【発明の効果】
【００１２】
本発明はトイレットペーパーを巻き取り切断した後に次のペーパーを簡単でスムーズに取り出すことができる。それにより片手でも簡単に取り出すことができるようになった。
【実施例】
【００１３】
トイレットペーパーホルダーのふた１の部分に切り込み４を入れ、トイレットペーパーを押し上げる為の突起３の付いた部品２を取り付ける。
【００１４】
切り込みの入ったふた１と押上げ部品２の間にトイレットペーパー６の先端部分５を通す。切り込み部分４から押上げ部品２の突起３部分がトイレットペーパー５を押し上げる。
【００１５】
押し上げられたトイレットペーパー５をつまみ上げることにより簡単に取り出すことができた。
【図面の簡単な説明】
【００１６】
【図１】本発明におけるトイレットペーパーホルダーの斜視図を示したものである。
【図２】本発明におけるトイレットペーパーホルダーの左側面図を示したものである。
【符号の説明】
【００１７】
１  切り込みの入ったトイレットペーパーホルダーのふた
２  押上げ部品
３  突起部分  
４  切り込み
５  トイレットペーパーの先端部分
６  トイレットペーパー
【図１】
2010110341.tif 000003
【図２】
2010110341.tif 000004
(57)【要約】【課題】  表面にシルク蛋白の塗布液を塗布した女性用衛生用品を提供する。【解決手段】女性用衛生用品は、表面にシルク蛋白液が塗布された本体を含んでなる。【選択図】図１
2010110547.tif 000002
【特許請求の範囲】
【請求項１】
表面にシルク蛋白液が塗布された本体を含んでなることを特徴とする女性用衛生用品。
【請求項２】
前記本体が、生理用ナプキンか、或いはパッドであることを特徴とする請求項１に記載の女性用衛生用品。
【請求項３】
前記生理用ナプキン／パッドの本体が、使用者の皮膚と接触する表面に塗布液を塗布して形成することを特徴とする請求項１に記載の女性用衛生用品。
【請求項４】
前記生理用ナプキン／パッドの本体が、全体に塗布液を塗布して形成することを特徴とする請求項１に記載の女性用衛生用品。
【請求項５】
前記塗布液が、シルク蛋白の塗布液であることを特徴とする請求項１から４に記載の女性用生理用品。
【請求項６】
前記シルク蛋白が、コロイド状のシルク、セリシンアミノ、コロイド状のフィブロン、或いはフィブロンアミノからなることを特徴とする請求項５に記載の女性用衛生用品。
【請求項７】
前記塗布液が、コラーゲンの塗布液、魚蛋白の塗布液、或いは大豆蛋白の塗布液であることを特徴とする請求項１から４に記載の女性用衛生用品。
【発明の詳細な説明】
【技術分野】
【０００１】
この発明は、女性用衛生用品に関し、特に女性が生理時に使用する衛生用品に関する。
【背景技術】
【０００２】
生理用ナプキンやパッドは、女性が生理時に使用する衛生用品であって、そのブランドや種類が非常に多い製品になっている。
【０００３】
しかしながら、該生理用ナプキンやパッドの品質が悪いと、皮膚のアレルギーや、湿疹ができるなどの皮膚病が発生するだけでなく、女性の陰部が炎症を引き起こすことなどがあり、使用者に不便である。
【発明の開示】
【発明が解決しようとする課題】
【０００４】
この発明は、表面にシルク蛋白の塗布液を塗布した女性用衛生用品を提供することを課題とする。
【課題を解決するための手段】
【０００５】
そこで、本発明の発明者は従来の技術に見られる欠点に鑑みて鋭意研究を重ねた結果、表面にシルク蛋白液が塗布された本体を含んでなる。
【０００６】
以下、この発明について具体的に説明する。
請求項１に記載する女性用生理用品は、表面にシルク蛋白液が塗布された本体を含んでなる。
【０００７】
請求項２に記載する女性用生理用品は、請求項１における本体が、生理用ナプキンか、或いはパッドである。
【０００８】
請求項３に記載する女性用生理用品は、請求項１における生理用ナプキン／パッドの本体が、使用者の皮膚と接触する表面に塗布液を塗布して形成する。
【０００９】
請求項４に記載する女性用生理用品は、請求項１における生理用ナプキン／パッドの本体が、全体に塗布液を塗布して形成する。
【００１０】
請求項５に記載する女性用生理用品は、請求項１から４における塗布液が、シルク蛋白の塗布液である。
【００１１】
請求項６に記載する女性用生理用品は、請求項５におけるシルク蛋白が、コロイド状のシルク、セリシンアミノ、コロイド状のフィブロン、或いはフィブロンアミノからなる。
【００１２】
請求項７に記載する女性用生理用品は、請求項１から４における塗布液が、コラーゲンの塗布液、魚蛋白の塗布液、或いは大豆蛋白の塗布液である。
【発明の効果】
【００１３】
この発明の女性用衛生用品は、シルク蛋白を塗布しているため、適度な通気性と、肌の潤いを保つという効果を有する。
【発明を実施するための最良の形態】
【００１４】
この発明は、表面にシルク蛋白の塗布液を塗布した女性用衛生用品であって、表面にシルク蛋白液が塗布された本体を含んでなる。
かかる女性用衛生用品の構造と特徴を詳述するために具体的な実施例を挙げ、図示を参照にして以下に説明する。
【実施例】
【００１５】
図１から図４は、この発明の女性用衛生用品を示したものである。
【００１６】
図面によれば、この発明の女性用衛生用品は、本体１０を含んでなる。該本体１０は、表面にシルク蛋白の塗布液２０を塗布して形成する。
【００１７】
該本体１０は、使用者の皮膚に接触する部分の表面にシルク蛋白の塗布液２０を塗布して形成する。該シルク蛋白の塗布液２０は、本体１０の外側全体に塗布してもよい。
【００１８】
シルク蛋白は十八種類のアミノ酸を含んでなる。該アミノ酸は、グリコール、アラニン、セリンを７０％以上が含まれたすばらしい機能性を具えた栄養物質であるため、医薬品、食品、化粧品、皮革製品、織物など広い範囲に応用されている。
【００１９】
また、該シルク蛋白は、コロイド状のシルク、セリシンアミノ、コロイド状のフィブロン、或いはフィブロンアミノから形成してもよい。
【００２０】
さらに、塗布液は、コラーゲンの塗布液、魚蛋白の塗布液、或いは大豆蛋白の塗布液でもよい。
【００２１】
シルク蛋白から形成したシルク蛋白液は、栄養的な価値が高いだけでなく、肌を潤わせる特性も具えている。また、病気を引き起こすバクテリアや、酸性のバクテリアを抑える特性をも具えているため、衛生用品のパッドに応用すると、パッドの使用感などを大幅に改善することができる。
【００２２】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【図面の簡単な説明】
【００２３】
【図１】この発明の女性用衛生用品を生理用のパッドに形成した場合を示した平面図である。
【図２】図１に開示する女性用衛生用品をＡ−Ａで切断した状態を示した断面図である。
【図３】この発明の女性用衛生用品を生理用のナプキンに形成した場合を示した平面図である。
【図４】図３に開示する女性用衛生用品をＡ−Ａで切断した状態を示した断面図である。
【図５】図４に開示する女性用衛生用品のＢの部分を示した部分拡大図である。
【符号の説明】
【００２４】
１０          本体
２０          塗布液
【図１】
2010110547.tif 000003
【図２】
2010110547.tif 000004
【図３】
2010110547.tif 000005
【図４】
2010110547.tif 000006
【図５】
2010110547.tif 000007
(57)【要約】【課題】  表面にシルク蛋白の塗布液を塗布した通気性を具えた紙おむつを提供する。【解決手段】紙おむつは、表面に塗布液を塗布した本体を含んでなる。【選択図】図１
2010110546.tif 000002
【特許請求の範囲】
【請求項１】
表面に塗布液を塗布した本体を含んでなることを特徴とする紙おむつ。
【請求項２】
前記本体が、着用者の皮膚に接触する部分の表面に塗布液を塗布して形成することを特徴とする請求項１に記載の紙おむつ。
【請求項３】
前記本体が、表面全体に塗布液を塗布して形成することを特徴とする請求項１に記載の紙おむつ。
【請求項４】
前記塗布液が、シルク蛋白の塗布液であることを特徴とする請求項１、或いは２、或いは３に記載の紙おむつ。
【請求項５】
前記シルク蛋白が、コロイド状のシルク、セリシンアミノ、コロイド状のフィブロン、或いはフィブロンアミノからなることを特徴とする請求項４に記載の紙おむつ。
【請求項６】
前記塗布液が、コラーゲンの塗布液、魚蛋白の塗布液、或いは大豆蛋白の塗布液であることを特徴とする請求項１、或いは２、或いは３に記載の紙おむつ。
【発明の詳細な説明】
【技術分野】
【０００１】
この発明は、紙おむつに関し、特に乳幼児が着用する紙おむつに関する。
【背景技術】
【０００２】
紙おむつは通常、乳幼児が使用する衛生用品で、そのブランドや種類が非常に多い製品になっている。
【０００３】
しかしながら、品質が悪い製品の場合、皮膚にアレルギーや、湿疹などの皮膚病が発症する、陰部が炎症を起こすなどするため、乳幼児が痛みやかゆみに耐えなければならない状況が発生するとともに、乳幼児の保護者を心配させる。
【発明の開示】
【発明が解決しようとする課題】
【０００４】
この発明は、表面にシルク蛋白の塗布液を塗布した通気性を具えた紙おむつを提供することを課題とする。
【課題を解決するための手段】
【０００５】
そこで、本発明の発明者は従来の技術に見られる欠点に鑑みて鋭意研究を重ねた結果、表面に塗布液を塗布した本体を含んでなる。
【０００６】
以下、この発明について具体的に説明する。
請求項１に記載する紙おむつは、表面に塗布液を塗布した本体を含んでなる。
【０００７】
請求項２に記載の紙おむつは、請求項１における本体が、着用者の皮膚に接触する部分の表面に塗布液を塗布して形成する。
【０００８】
請求項３に記載の紙おむつは、請求項１における本体が、表面全体に塗布液を塗布して形成する。
【０００９】
請求項４に記載の紙おむつは、請求項１、或いは２、或いは３における塗布液が、シルク蛋白の塗布液である。
【００１０】
請求項５に記載の紙おむつは、請求項４におけるシルク蛋白が、コロイド状のシルク、セリシンアミノ、コロイド状のフィブロン、或いはフィブロンアミノからなる。
【００１１】
請求項６に記載の紙おむつは、請求項１、或いは２、或いは３における塗布液が、コラーゲンの塗布液、魚蛋白の塗布液、或いは大豆蛋白の塗布液である。
【発明の効果】
【００１２】
この発明の紙おむつは、シルク蛋白を塗布しているため、適度な通気性と、肌の潤いを保つという効果を有する。
【発明を実施するための最良の形態】
【００１３】
この発明は、表面に塗布液を塗布した本体を含んでなる。
かかる紙おむつの構造と特徴を詳述するために具体的な実施例を挙げ、図示を参照にして以下に説明する。
【実施例】
【００１４】
この発明の紙おむつは、様々な形態の紙おむつであって、その形態は周知のとおりであるため、ここでは詳述しない。
【００１５】
図１から図４は、この発明の紙おむつを示した説明図である。図面によれば、この発明の紙おむつは、本体１０を含んでなり、該本体１０の表面にはシルク蛋白の塗布液２０を塗布して形成する。
【００１６】
該本体１０は、着用者の皮膚に接触する部分の表面にシルク蛋白の塗布液２０を塗布する。また、該本体１０は、表面全体にシルク蛋白の塗布液２０を塗布して形成してもよい。
【００１７】
シルク蛋白は十八種類のアミノ酸を含んでなる。該アミノ酸は、グリコール、アラニン、セリンを７０％以上が含まれたすばらしい機能性を具えた栄養物質であるため、医薬品、食品、化粧品、皮革製品、織物など広い範囲に応用されている。
【００１８】
また、該シルク蛋白は、コロイド状のシルク、セリシンアミノ、コロイド状のフィブロン、或いはフィブロンアミノから形成してもよい。
【００１９】
さらに、該塗布液は、コラーゲンの塗布液、魚蛋白の塗布液、或いは大豆蛋白の塗布液でもよい。
【００２０】
シルク蛋白から形成したシルク蛋白の塗布液は、栄養的な価値が高いだけでなく、肌を潤わせる特性も具えている。また、病気を引き起こすバクテリアや、酸性のバクテリアの繁殖を抑える特性をも具えているため、紙おむつに応用すると、紙おむつの使用感などを大幅に改善することができる。
【００２１】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【図面の簡単な説明】
【００２２】
【図１】この発明の紙おむつを示した平面図である。
【図２】図１に開示する紙おむつのＡ−Ａで切断した状態を示した断面図である。
【図３】図２に開示する紙おむつのＣの部分を示した部分拡大図である。
【図４】この発明の紙おむつの他の実施形態を示した平面図である。
【符号の説明】
【００２３】
１０        本体
２０        塗布液
【図１】
2010110546.tif 000003
【図２】
2010110546.tif 000004
【図３】
2010110546.tif 000005
【図４】
2010110546.tif 000006
(57)【要約】      （修正有）【課題】従来から伝わる（的）ランドルト視標等ではこの装置に使用するのは無理があり達成できないが一個の光（虚像）の出現によりこれを利用することに依って言葉が無くても複雑怪迷に適応し矯正が速やかに出来、被検者個有の目の極限の値を求める事が出来る為、自覚式矯正装置（矯正範囲者脱落皆無）を加えて一層の効果を高め今までの不都合を解決する事を課題とする。【解決手段】テストレンズ群（一式）全てを一気に覗き終わらすため、一枚の円盤１の円周付近にテストレンズ群３とステッピングストッパ−磁石群５と安定用吸引磁石６と回転軸１１と手回しハンドル７とを組込んだ円滑回転を、円盤と台座との安定密着を計りその上脱着も簡単にしたものである。【選択図】図１
2010110590.tif 000002
【特許請求の範囲】
【請求項１】
テストレンズ群（一式）  全てを  一気に覗き終わらすため、一枚の円盤の円周付近にテストレンズ群とステッピングストッパ−磁石群と安定用吸引磁石と回転軸と手回しハンドルとを組込み円滑回転するよう円盤と台座との安定密着を計り脱着も簡単にしたものである。
【請求項２】
円盤の回転を円滑安定固定さすため  台座に円盤吸引用磁石と  ステッピングストッパ−磁石と回転軸受けと  から成り節度ある保持側として簡単に組み立ての出来るよう仕組んだ装置である。
【発明の詳細な説明】
【技術分野】
【０００１】本発明は、特に  眼鏡の矯正装置に関するもので言葉が無くても複雑怪迷に適応し適確
矯正が速やかに出来ないか夢見ていたところ  参考（特開２００８−１６８０８９）の出現により  それを有効利用し現実となった。
注、先ずは  自覚式矯正装置の流れを説明する、円盤にテストレンズ群（一式）を装着したものを作り  その円盤を  グルット回せば（遠．近．乱の被検者は）一個の光が散乱と集結を繰り返し動画のように変化するので  集結したポイントを微調整するため  もう一回ゆっくり円盤を回転して抽出し矯正完了とする装置である。
【背景技術】
【０００２】  従来から現存している  テストフレ−ムに依る矯正方法では矯正時間と手間には限度があり可能な限りを尽くせなく悔いを残す事例が少なくなかった、そのため  その欠陥を補う装置が必要である。
【発明の開示】
私は  参考（特開２００８−１６８０８９）  この用具を考案して有効利用できないか従来の方法に囚われず２１世紀の  〃  新型スタイル  〃  として考えた結果である。
（  試作品製作済み  ）
【発明が解決しようとする課題】
【０００３】  従来から伝わる（的）ランドルト視標等では  この装置に使用するのは無理があり達成できないが（特開２００８−１６８０８９）一個の光（虚像）の出現によりこれを利用するど被検者個有の目の極限の値を求める事が出来るため  本発明の自覚式矯正装置（矯正範囲者脱落皆無）を加えて一層の効果を高め今までの不都合を解決する事を課題とする。
【課題を解決するための手段】
【０００４】  この課題を解決するため、テストレンズ群（一式）全てを一気に覗き終わらすため
請求項１、の発明は、一枚の円盤  （図１）  １  の円周付近にテストレンズ群  ３  とステッピングストッパ−磁石群５と安定用吸引磁石６と回転軸１１と手回しハンドル７とを組込み円滑回転するよう円盤と台座との安定密着を計り脱着も簡単にしたものである。
【０００５】  又、請求項２  は、円盤の回転を円滑安定固定さすため  台座（図１）  ２  に円盤吸引用磁石  ８  とステッピングストッパ−磁石  ９  と回転軸受け１０  から成り節度ある保持側として簡単に組み立ての出来るよう仕組んだ装置である。
【発明の効果】
【０００６】  本発明に依り、（矯正可能範囲者の脱落皆無）テストレンズ（一式）全数を一気に覗き見させる装置なのでスピ−ドアップ  矯正後  悔いの残らない極限の適正値が抽出できる利点がある。    （医師の診療にも弱視と乱視との誤診無）
【発明を実施するための最良の形態】
【０００７】  本発明に係る  自覚式矯正装置は、円盤にテストレンズ群一式を  まとめて被検者に一気に覗き見させる事が目的なので円盤の限りの面にテストレンズを一枚でも多く整える事が重要で幾何にして最少のレンズで最大の効果を上げるかその方策として（図２）２０に示すように円盤を両面に設け万能矯正用として基本的レンズを整えこれを被検者に仮見させこの範中からはみでた被検者には集結ポイント付近が既に判断出来るので別の微調円盤を素早く簡単に脱着出来るよう最良の形態とした。【０００８】    これら矯正装置の材料は、総て通常のものでよい。
【産業上の利用可能性】
【０００９】  本発明に係る  自覚式矯正装置は、全世界の医療関係は元より、大学医学部  レンズ業界等利用可能性を有する。
【図面の簡単な説明】
【００１０】
【図１】自覚式矯正装置の前面平面図
【図２】自覚式矯正装置の側面平面図  １  円盤  ２  台座  ３  テストレンズ群（多ければ多いほど良い）  ４  空穴（一枚の円盤に一個作る事）  ５  ステッピングストッパ−磁石群  ６  吸引用永久磁石（円盤と台座）  ７  手回しハンドル  ８  吸引用永久磁石（円盤と台座）  ９  ステッピングストッパ−磁石対  １０  回転軸受  １１  回転軸  ２０  自覚式矯正装置の全容
【図１】
2010110590.tif 000003
【図２】
2010110590.tif 000004
(57)【要約】【課題】バレーボールの練習装置で、持ち運び・保管が容易にでき、手軽に活用が出来る。ボールを蓄積することも通過させることも出来るようになった、簡易型トス・パス練習機を提供する。【解決手段】プレーヤーやコーチが、立った状態でも保持できる持ち手の先に円形リング枠と筒状の網を取り付ける。取り付けた網の下部には、開閉調整用ロープを通して、ボールを蓄積することも通過させることもできるようにする。【選択図】図１
2010110585.tif 000002
【特許請求の範囲】
【請求項１】
Ｌ字型の持ち手の先端に、リング枠を取り付け、筒状の網をかけ、筒状の網の下部には、開閉調整用ロープを通し、Ｌ字型持ち手の先端近くに、白帯用ストッパーを取り付けることを特徴とする、簡易型トス・パス練習機。
【発明の詳細な説明】
【技術分野】
【０００１】本発明は、バレーボール練習での簡易型トス・パス練習に関するものである．
【背景技術】
【０００２】トス・パスの正確性向上のためには、目標に向かって連続してボールを入れる練習が効果的であり、また、自己の技術向上率を明確に知るためにも、ボールを溜め入れる機能があるとよい。
代表的なものとして株式会社ミズノ製の定置式・大型のトス練習機が知られている。
【発明の開示】
【発明が解決しようとする課題】
【０００３】定置式・大型の練習装置では、持ち運び・保管が容易にできず、手軽に活用しづらい。
溜め入れたボールを簡単に取り出せない難点もある。
本発明は、以上の問題点を解決するためになされたものである。
【課題を解決するための手段】
【０００４】Ｌ字型の持ち手の先端に、リング枠を取り付け、筒状の網をかけ、筒状の網の下部には、開閉調整用ロープを通し、Ｌ字型持ち手の先端近く白帯用ストッパーを取り付ける。
これらを特徴とする簡易型トス・パス練習機である。
【発明の効果】
【０００５】小型・軽量のため、手軽に運搬・保管が可能であり、またボール拾いの際にも活用することができる。
白帯用ストッパーをＬ字型の持ち手の先端に留め付ける際の調節により、ネットからの距離を調整でき、距離感を養う一助ともなる。
【発明を実施するための最良の形態】
【０００６】  以下、本発明の実施の形態を説明する。
（イ）Ｌ字型の持ち手（１）の先端に、リング枠（２）を取り付け、筒状の網（３）をかける。
（ロ）筒状の網（３）の下部には、開閉調整用ロープ（４）を通し、
（ハ）Ｌ字型持ち手の先端近くに白帯用ストッパー（５）を取り付ける。
本発明は以上の様な構成で、プレーヤーやコーチは、立った状態でも保持できる持ち手を持って使用する。ボールを蓄積する時は、網の下部に取り付けた開閉調整用ロープを閉じ、通過させる時は開く様に調整できる。
【図面の簡単な説明】
【０００７】
【図１】本発明の斜視図
【符号の説明】
【０００８】１  持ち手
２  リング枠
３  網
４  開閉調整用ロープ
５  白帯用ストッパー
【図１】
2010110585.tif 000003
(57)【要約】【課題】１台のブロック板を用いて攻撃側のスパイクフォローと守備側のブロックフォローを、同時にかつ効率的に連続練習が出来る、ツーウエー・ブロック板を提供する。【解決手段】彎曲した、パイプ本体フレームの裏側に、持ち手を付け、パイプ本体フレーム表側に、裏板を取り付けたのち、低反発性クッションを貼り付ける。パイプ本体フレームを、表から巻き込むように、色分けされたビニールシート材で包み裏側で止めることにより、ブロック面を作る。【選択図】図１
2010110586.tif 000002
【特許請求の範囲】
【請求項１】
彎曲した、パイプ本体フレームの裏側に、持ち手を付ける、パイプ本体フレーム表側に、裏板を取り付けたのち低反発性クッションを貼り付け、パイプ本体フレームを表から、巻き込むように、色分けされたビニールシート材で包み裏側で止めることを特徴とする、ツーウエー・ブロック板。
【発明の詳細な説明】
【技術分野】
【０００１】本発明は、バレーボール練習でのスパイクフォローとブロックフォロー練習に関するものである
【背景技術】
【０００２】バレーボールのゲームにおいては、スパイクまたはブロック後のボールをレシーブし、ラリーを続けることが必要となる。スパイクフォローの練習には、ブロック板を用いて、ブロックされた状況を作り出してやるとよい。また、ブロックフォローにおいても同様である。
代表的なものとして株式会社モルテン製のブロック板が知られている
２通りの使い方が出来るブロック板としては（特許文献１参照）があるが、攻撃側と守備側の両方を同時に練習することはできない。
【特許文献１】  特許出願２００１−３７７６２０
【発明の開示】
【発明が解決しようとする課題】
【０００３】１台のブロック板を用いて攻撃側のスパイクフォローと守備側のブロックフォローを、同時に、かつ効率的に連続練習することは困難である。
本発明は、以上の問題点を解決するためになされたものである。
【課題を解決するための手段】
【０００４】彎曲した、パイプ本体フレームの裏側に、持ち手を付ける。パイプ本体フレームの表側には、裏板を取り付けたのち低反発性クッションを貼り付ける。パイプ本体フレームを表から巻き込むように、色分けされたビニールシート材で包み裏側で止めることにより、ブロック面が出来上がる。
これらを特徴とするツーウエー・ブロック板である。
【発明の効果】
【０００５】ツーウエー・ブロック板のブロック面をネット上に差し出すことで、攻撃側のスパイクフォローと守備側のブロックフォローを、同時に効率よく連続練習ができる。
また色分けされたビニールシート材の各所を打ち分けることによりスパイク技術向上にも役立ち、試合の際のラリーと極めて似通った状況を作り出せるため、実践的な練習を行える。
【発明を実施するための最良の形態】
【０００６】以下、本発明の実施の形態を説明する。
（イ）彎曲したパイプ本体フレーム（１）の裏側に持ち手（２）を付ける
（ロ）パイプ本体フレーム表側に裏板（３）を取り付けたのち低反発性クッション材（４）を貼り付ける
（ハ）パイプ本体フレームを表から巻き込むように色分けされたビニールシート材（５）で包み裏側で止めることによりブロック面（６）が出来上がる
本発明は以上の様な構成で、これを使用するとき、プレーヤーやコーチは、裏側の持ち手を持ち、ネット上の前に押し出すことや、後ろに折り返すことにより、スパイクフォローとブロックフォローの両方の練習に対応できるように使用する。
【図面の簡単な説明】
【０００７】
【図１】本発明の斜視図
【符号の説明】
【０００８】１  パイプ本体フレーム
２  持ち手
３  裏板
４  低反発性クッション材
５  色分けされたビニールシート材
６  ブロック面
【図１】
2010110586.tif 000003
【図２】
2010110586.tif 000004
【図３】
2010110586.tif 000005
【手続補正書】
【提出日】平成20年12月22日(2008.12.22)
【手続補正１】
【補正対象書類名】明細書
【補正対象項目名】０００７
【補正方法】変更
【補正の内容】
【０００７】
【図１】本発明の斜視図
【図２】本発明の裏側を示す斜視図
【図３】本発明の表側仕上がり状態を示す斜視図
(57)【要約】【課題】    本発明はエステ美容器として血行を促進する磁石球体回転部と顔のほてりを冷やす水晶球体回転部を用い小型で携帯用に組み合わせ一体化しまとめるかが課題である。【解決手段】    本体の材質はすべてプラスチック材料を使用し左先端には血行を促進する磁力作用のある球体磁石回転専用部もうけ右先端には皮膚表面のほてりや熱を下げ皮膚を引き攻める効果のある天然石の水晶玉回転專用部とし中間接続部で左右球部を一体化にして小型で又球の回転が安定するように中間接続部の中心に孔を空け球の回転の基点にして回転をスムーズにする構造で解決した。【選択図】図１
2010110584.tif 000002
【特許請求の範囲】
【請求項１】
樹脂材の棒状本体先端の左端に球体回転磁石部を右端に球体回転水晶部を設け左右一体化した用途別エステマッサージ美容器
【発明の詳細な説明】
【技術分野】
【０００１】  本発明は本体棒状の左と右先端に左側磁石球と右側水晶球の回転球体を装着し左右一体化したエステ美容器に関する。
【背景技術】
【０００２】  従来のエステマッサージ美容器には球体磁石を利用したものはあるが磁石球体と水晶球体のように異種材質の球を左右一体化しエステ用途に別けて使用するエステ専用美容器はなかった。
【発明の開示】
【発明が解決しようとする課題】
【０００３】  本体に二種類の材質の異なる球体回転部を小型で携帯用にいかに組み合わせするかが課題である。
【課題を解決するための手段】
【０００４】  本体の材料はすべて磁力の影響の無い樹脂材質の材料を使用し左先端は磁力作用のある球体磁石専用部とし右先端は水晶球体専用部として別け中間固定部で固定連結し磁石球体部と水晶球体部をもうけ各々専用エステ用として分けた構造にして解決した。
【発明の効果】
【０００５】  本発明は回転する球体磁石マッサージによりＳＮ、ＳＮと磁力の極性が移動することにより血液中の鉄イオンを含むヘモグロビンや＋−に電離する成分が流れているため、いわば電流とみなすことが出来、これに磁石による磁力が作用しローレンツ力が発生、また磁力によって血液中の酸素放出が促進される結果、こりや血流の流れを促進する又球体水晶部の球水晶の回転波動による細胞の活力促進と皮膚表面の熱を下げ皮膚を引き締めマッサージとエステ美容の効果がある。
【発明を実施するための最良の形態】
【実施例】
【０００６】  本発明の図面に従って説明する、（図１）は構造断面で１握り筒兼用キャップ１ａ通空孔２球体玉押えキャップ２ａキャップ側ネジ３中間球玉固定部３ａ球玉中心回転安定孔３ｂ中間側ネジで４球体磁石玉５球体水晶玉を投入した２玉押えキャップを接続して一体化される。【０００７】  血流、リンパ流の流れを促進するための利用であれば１握り筒兼用キャップを５球体水晶玉側にかぶせ握り手として利用して４球体磁石部のマッサージを行います。【０００８】  １握り筒兼用キャップを４球体磁石部側にかぶせ握り手として利用して水晶波動による細胞の活性、免疫力の増進と肌表面のほてりなどの熱を低下させるなどの美容効果を行います、セットで利用するとマッサージエステ美容効果が高まる。
【図面の簡単な説明】
【０００９】
【図１】  構造断面図
【符号の説明】
【００１０】１  握り筒兼用キャップ
１ａ  通空孔
２  球体玉押えキャップ
２ａ  キャップ側ネジ
３  中間球玉固定部
３ａ  球玉中心回転安定孔
３ｂ  中間側ネジ
４  球体磁石玉
５  球体水晶玉
【図１】
2010110584.tif 000003
(57)【要約】      （修正有）【課題】医療治療中の点滴時、注射針がずれたり外れたりしないように点滴をガードし、医師、看護士の治療負担を緩和する保持具を提供する。【解決手段】点滴治療を認識できない患者さんに対し、医療治療中の点滴時、注射針がずれたり外れたりしないようにある程度の重みがあるアクリルか塩化ビニールで作成されており、縦２５ｃｍから３５ｃｍ、幅（内径）１２ｃｍ、（外径）１５ｃｍ程度で、Ｕ字溝、舟形の腕、肘がスッポリはいる深さ３ｃｍから４ｃｍ程の溝で腕、手首が楽に乗せられる作りで、伸縮性のある幅３ｃｍにマジックテープ２で二箇所程止める。【選択図】図１
2010110582.tif 000002
【特許請求の範囲】
【請求項１】
（１）医療治療中の点滴時、注射針がずれたり外れたりしないように点滴をガードし、医師、看護士の治療負担を緩和するため発明。
【発明の詳細な説明】
【発明の詳細な説明】
【技術分野】
【０００１】医師治療の際、点滴治療を容易に施行しやすくする目的。
【従末の技術】
【０００２】従来、点滴治療を行う医療現場では医師または看護士がつきっきりで注射針が抜けないように見守っていた。
【発明が解決しようとする課題】
【０００３】医療において点滴治療を受ける患者さんの中には様々な人がいます。重症を負っている人、特に本発明品が解決しようする痴呆症の老人、幼児など点滴を受けている意識のないような人達の点滴処置時の針のずれ。
【課題を解決するための手段】
【０００４】本発明品は点滴治療には５００ＣＣから１０００ＣＣを試行した時の時間は１時間から２時間かかる。その間、医師、看護士が頻繁に注射針を確認する必要があり、昨今の医療現場では人手不足のおり本発明品を使用することにより人手不足の緩和に貢献できる。
【発明を実施するための最良の形態】
【０００５】本発明品は、ある程度の重みがあるアクリルか塩化ビニールで作成されており、縦２５ｃｍから３５ｃｍ、幅（内径）１２ｃｍ、（外径）１５ｃｍ程度で、Ｕ字溝、舟形の腕、肘がスッポリはいる深さ３ｃｍから４ｃｍ程の溝で腕、手首が楽に乗せられる作りで、伸縮性のある幅３ｃｍにマジックテープで二箇所程止める。そうすれば点滴を受けている意識がない患者さんに付きっきりでいなくても安心して治療に専念できる。
【実施例】
【０００６】現在、痴呆症の患者さんがいて、点滴治療の際（注射針の場所にもよるが）腕が曲がらないように段ボールや発泡スチロール板などを利用し、マジックテープで固定し、点滴をスムーズに行っている。
【発明の効果】
【０００７】医療スタッフの少ない事故現場、痴呆患者の病院などでの点滴治療に安心感を与え、更に人手不足の解消と共に医療ミスをなくすことに貢献できると考える。
【図面の簡単な説明】
【図１】本発明品の斜視図である。
【図２】本発明品の一部を切り欠いた側面図である。
【符号の説明】
１．  アクリル製
２．  伸縮マジックテープ
３．  縦径３５ｃｍ
４．  外径１５ｃｍ
５．  内径１２ｃｍ
６．  高さ５ｃｍ
【図１】
2010110582.tif 000003
【図２】
2010110582.tif 000004
(57)【要約】【課題】  電気掃除機の使用で、床面以外ではハタキや付属品の隙間用ノズルや丸ブラシ等を使用しているが、棚に収めている物の隙間や陰の部分あるいは複雑な形態の物に対しては効果が低く、本発明はその効果を高めて室内の塵埃をより少なくしようとするものである。【解決手段】  電気掃除機を、床面より高い場所の塵埃の吹き払い用の電気掃除機をＡ機とし、床面の塵埃の吸入回収用の電気掃除機をＢ機として、二種類の電気掃除機に分け、Ａ機、Ｂ機をセットで作業するための二種類の電気掃除機をセットで提供する。【選択図】なし【特許請求の範囲】
【請求項１】
電気掃除機を、床面より高い場所の塵埃の吹き払い用の電気掃除機をＡ機とし、床面の塵埃の吸入回収用の電気掃除機をＢ機として、二種類に分け、Ａ機、Ｂ機を用いてセットで作業するための二種類の電気掃除機をセットで提供する。
【発明の詳細な説明】
【技術分野】
【０００１】  本発明は、電気掃除機を、Ａ機とＢ機に分け、それぞれに異なる機能を持たせた二種類の電気掃除機をセットで使用して室内の塵埃の除去をするためのものである。
【背景技術】
【０００２】  電気掃除機は本体の他に、付属品として隙間用ノズルや丸ブラシ等が付いている。
【発明の開示】
【発明が解決しようとする課題】
【０００３】  電気掃除機の使用で、床面以外ではハタキや付属品の隙間用ノズルや丸ブラシ等を使用しているが、棚に収めている物の隙間や陰の部分あるいは複雑な形態の物に対しては効果が低く、本発明はその効果を高めて室内の塵埃をより少なくしようとするものである。
【課題を解決するための手段】
【０００４】  電気掃除機を床面より高い場所用をＡ機、床面用をＢ機とし二種類の電気掃除機にする。【０００５】  Ａ機の形態は、熱源を取り去ったヘアドライヤーと同じ構造で風圧を高めた送風機であり、Ｂ機の形態は、従来の電気掃除機と同じである。【０００６】  二種類の電気掃除機は、Ａ機で室内の高い所から順に低い所へ移動しながら塵埃を床面まで吹き払いを行い、最後にＢ機で床面の塵埃の除去作業を行い完了させる。【０００７】  二種類の電気掃除機でのセット作業のため、使用者に二種類の電気掃除機をセットとして提供する。
【発明の効果】
【０００８】  Ａ機の吹き払いは、ハタキや付属品の使用の作業よりも効果があり、Ａ機の作業中はＢ機の作動を止めているため電力の使用量が抑えられＢ機の発する騒音の時間も短くなる。
【発明を実施するための最良の形態】
【０００９】  室内の塵埃の除去作業中、作業後の室内の塵埃の浮遊を少なくするには、作業の頻度を高め室内の塵埃の量を少ない状態にしておくことであり、作業と作業の取り掛かりを容易にして塵埃の除去作業の頻度を高めるため、Ａ機、Ｂ機共に可能な限り小型軽量化する。【００１０】  Ａ機、Ｂ機のセット使用を促す表示をする。
(57)【要約】      （修正有）【課題】大腸、前立腺、子宮、舌癌等の治療を容易に、短期に、かつ人体を害さずに実施する。【解決手段】内部に発熱体２を有する筒状の容器１を肛門、膣、口等から挿入し、その熱で癌を死滅させる。【選択図】図１
2010110594.tif 000002
【特許請求の範囲】
【請求項１】
筒状でその端部の外周にストッパたらしめる円盤状のかえりを有する容器の内部に発熱体を設けた器具
【請求項２】
筒状の容器で内部に発熱体と温度センサを設けた器具
【請求項３】
筒状でその端部に取手を有する容器の内部に発熱体を設けた器具
【請求項４】
筒状でその内部又は外部の一部に熱遮断材を有する容器の内部に発熱体を設けた器具
【発明の詳細な説明】
【技術分野】
【０００１】  本発明は、温熱治療器具に関する。
【背景技術】
【０００２】  温熱療法とは、癌細胞が正常細胞より熱に弱いという性質を利用して、癌細胞のみを殺し癌を治療しようとする方法である。
【発明の開示】
【発明が解決しようとする課題】
【０００３】  大腸、前立腺、子宮、舌癌等の治療を容易に、短期に、かつ人体を害さずに実施する。
【課題を解決するための手段】
【０００４】  内部に発熱体を有する筒状の容器を肛門、膣、口等から挿入し、その熱で癌を死滅させる。
【発明の効果】
【０００５】  本温熱治療器具は、直接、癌細胞を温めるため癌を容易に死滅させる。【０００６】  本器具の端部にはかえり、取手が付いているので使い勝手が良い。【０００７】  本器具の一部には熱遮断材が付いているので正常細胞を高温から防御できる。
【発明を実施するための最良の形態】
【０００８】  容器の内部の発熱体は、化学的、電気的でも、どちらでもよい。又、容器の材質、形状についても特にこだわらない。患部の状態に応じて、形状、発熱量を適宜決定する。【０００９】  図１は本器具の縦断面、図２は横断面の一例を示す。
【図面の簡単な説明】
【００１０】
【図１】図１は本器具の縦断面を示し、５のかえりは肛門等に挿し込んだ時にストッパの役目をする。６の取手は引き抜く時に使用する。
【００１１】
【図２】図２は本器具の横断面を示す。形状に凹をつけて癌を包み込むようにしている。
【図１】
2010110594.tif 000003
【図２】
2010110594.tif 000004
(57)【要約】【課題】  従来提供されている衣類用開閉式ハンガーにおいては、ストッパーやバネを使用した構造で、それらバネ等の力により、ハンガーの肩かけ部分が上下に稼働するため、ハンガーの重さや大きさが大きくなり、構造上、ハンガー部の折りたたみ方が不十分である。価格的も高く実用的ではなく、その動作に多少の力がいることで、手が不自由な人や小さい子供にとっては、開閉操作に難点があり、開閉操作も難しい。  本発明は、このような問題点を解決するために成されたものであり、その目的は、製造が容易であり、安価で、且つ誰でも容易に衣類の着脱ができるようにすることにある。【解決手段】  フック付き固定軸の下部に支軸を水平上に設け、その支軸の両端に回転自在の肩かけ部を設ける。【選択図】図１
2010110591.tif 000002
【特許請求の範囲】
【請求項１】
フック付き固定軸下部に支軸を水平状に設け、その支軸の両端に回転自在の肩かけ部を設けた衣類用開閉式ハンガー。
【発明の詳細な説明】
【技術分野】
【０００１】  本発明は、衣類用開閉式ハンガーに関するものである。
【技術背景】
【０００２】  従来、衣類をつり下げるためのハンガーは、主に衣類の裾からハンガーを差し込み、着脱するか、開閉式ハンガーにより、襟から差し込み着脱している。
なお、襟元から入れ、フック（支柱）を上に持ち上げると可動軸が開き使用できる折りたたみ式ハンガーや、やわらかいハンガーが知られている。（特許文献１、２、３参照）
【特許文献１】  特許２００６−２２３７０５号公報
【特許文献２】  特許２００７−１９５９２８号公報
【特許文献３】  特許２００３−２９９５６５号公報
【発明の開示】
【発明が解決しようとする課題】
【０００３】    従来提供されている衣類用開閉式ハンガーにおいては、ストッパーやバネを使用した構造で、それらバネ等の力により、ハンガーの肩かけ部分が上下に稼働するため、ハンガーの重さや大きさが大きくなり、構造上、ハンガー部の折りたたみ方が不十分である。【０００４】    価格的も高く実用的ではなく、その動作に多少の力がいることで、特に手が不自由な人や小さい子供にとっては、開閉操作に難点があり、開閉操作も難しい。【０００５】    本発明は、このような問題点を解決するために成されたものであり、その目的は、製造が容易であり、安価で、且つ誰でも容易に衣類の着脱ができるようにすることにある。
【課題を解決するための手段】
【０００６】  上記の目的を達成する本発明の簡単着脱折りたたみ式ハンガーは、フック付き固定軸下部に支軸を水平状に設け、その支軸の両端に回転自在の肩かけ部を設けた衣類用開閉式ハンガーで、収納時や運搬時にかさばらず、ハンガーの肩かけ部分を従来の開閉式の物と反対方向に操作稼働させることにより、開閉時に特別な操作も要らず、丸首のシャツやセーターに対しても襟元から挿入し、下側から簡単に取り外すことができることを特徴とする。
【発明の効果】
【０００７】    以上説明したように本発明によれば、開閉式ハンガーの肩かけ部において、従来ハンガーの下方向に閉じていたものを上方向に操作稼働させることにより、ストッパーやバネを使用しないので、操作が容易で手の不自由な人や小さな子供にも簡単に着脱することが可能となる。
【発明を実施するための最良の形態】
【０００８】  以下、本発明の実施の形態を図面に基づき詳細に説明する。
フック付き固定軸（１）の下部に支軸（２）を設け、その支軸（２）の両端に回転自在の肩かけ部（３）（３）を設ける。
本発明は以上のような構造である。
本発明を使用するときは、肩かけ部（３）（３）を図２に示したようにフック付き固定軸（１）に添うように支軸を基にして上方へ折りたたみ（閉じ）、フック付き固定軸（１）、肩かけ部（３）（３）を持ったまま、セーター類、丸首シャツ等の衣類の襟ぐりからフック付き固定軸（１）の支軸（２）の方から挿入する。
肩かけ部（３）（３）が衣類の中に入ったら、肩かけ部（３）（３）から手を離し、フック付き固定軸（１）のみを持つと肩かけ部（３）（３）が重力で左右に開き、袖に通る。
また、衣類の裾からフック付き固定軸（１）の下部の支軸（２）を引っ張ると肩かけ部（３）（３）が自然に閉じるので、ハンガーを一気に外すことができる。
【図面の簡単な説明】
【０００９】
【図１】本発明の斜視図
【図２】本発明の使用状態を示す斜視図
【符号の説明】
【００１０】（１）  フック付き固定軸、
（２）  （２）支軸、
（３）  （３）肩かけ部
【図１】
2010110591.tif 000003
【図２】
2010110591.tif 000004